(57)【要約】  【課題】折畳作業部の折畳非作業状態時に整地体がバタついて騒音を発するのを防止できる農作業機を提供する。  【解決手段】農作業機１の折畳作業部３は、耕耘作業をする耕耘体22と、耕耘体22の後方で整地作業をする整地体23と、第１連結アーム体41と、第２連結アーム体42とを有する。また、折畳作業部３は、移動によりロック状態およびロック解除状態になるロック体51と、このロック体51をロック状態になるように付勢する付勢体とを有する。折畳作業部３の折畳非作業状態時には、ロック体51が付勢体の付勢力に基づいて移動して第２連結アーム体42と係合可能なロック状態になる。  【選択図】図１
2006311818.tif 000002
【特許請求の範囲】
【請求項１】
当接部を有する作業機本体部と、
この作業機本体部に回動可能に設けられ、回動により折畳非作業状態および展開作業状態になる折畳作業部とを備え、
前記折畳作業部は、
アーム連結部を有する機体と、
この機体に設けられ、耕耘作業をする耕耘体と、
前記機体に設けられ、前記耕耘体の後方で整地作業をする整地体と、
この整地体に一端側が回動可能に連結された第１連結アーム体と、
この第１連結アーム体の他端側に一端側が回動可能に連結され、他端側が前記アーム連結部に回動可能に連結された第２連結アーム体と、
前記機体に移動可能に設けられ、移動によりロック状態およびロック解除状態になるロック体と、
このロック体をこのロック体がロック状態になるように付勢する付勢体とを有し、
前記折畳作業部の展開作業状態時には、前記ロック体が前記当接部との当接により前記付勢体の付勢力に抗して移動して前記第２連結アーム体と係合不能なロック解除状態になり、
前記折畳作業部の折畳非作業状態時には、前記ロック体が前記当接部から離れることにより前記付勢体の付勢力に基づいて移動して前記第２連結アーム体と係合可能なロック状態になり、このロック状態のロック体と前記第２連結アーム体との係合により前記整地体が前記機体に対してロックされる
ことを特徴とする農作業機。
【請求項２】
ロック体は、折畳作業部の折畳非作業状態時に、第２連結アーム体の下部と係合してこの第２連結アーム体の下方回動を規制する係合部を有する
ことを特徴とする請求項１記載の農作業機。
【発明の詳細な説明】
【技術分野】
【０００１】
本発明は、折畳作業部の折畳非作業状態時に整地体がバタついて騒音を発するのを防止できる農作業機に関するものである。
【背景技術】
【０００２】
従来、例えば走行車であるトラクタに連結される中央の作業機本体部と、作業機本体部の左右両端部に回動可能に設けられ回動により折畳非作業状態および展開作業状態になる左右一対の折畳作業部とを備え、各折畳作業部が機体に回転可能に設けられ耕耘作業をする耕耘体と機体に上下回動可能に設けられ耕耘体の後方で整地作業をする整地体とを有する代掻装置等の農作業機が知られている（例えば、特許文献１参照）。
【特許文献１】特開２００４−３３０１９号公報
【発明の開示】
【発明が解決しようとする課題】
【０００３】
しかしながら、上記従来の農作業機では、折畳作業部の折畳非作業状態時において整地体が機体に対してフリーであるため、整地体がバタついて騒音を発するおそれがある。
【０００４】
本発明は、このような点に鑑みなされたもので、折畳作業部の折畳非作業状態時に整地体がバタついて騒音を発するのを防止できる農作業機を提供することを目的とする。
【課題を解決するための手段】
【０００５】
請求項１記載の農作業機は、当接部を有する作業機本体部と、この作業機本体部に回動可能に設けられ、回動により折畳非作業状態および展開作業状態になる折畳作業部とを備え、前記折畳作業部は、アーム連結部を有する機体と、この機体に設けられ、耕耘作業をする耕耘体と、前記機体に設けられ、前記耕耘体の後方で整地作業をする整地体と、この整地体に一端側が回動可能に連結された第１連結アーム体と、この第１連結アーム体の他端側に一端側が回動可能に連結され、他端側が前記アーム連結部に回動可能に連結された第２連結アーム体と、前記機体に移動可能に設けられ、移動によりロック状態およびロック解除状態になるロック体と、このロック体をこのロック体がロック状態になるように付勢する付勢体とを有し、前記折畳作業部の展開作業状態時には、前記ロック体が前記当接部との当接により前記付勢体の付勢力に抗して移動して前記第２連結アーム体と係合不能なロック解除状態になり、前記折畳作業部の折畳非作業状態時には、前記ロック体が前記当接部から離れることにより前記付勢体の付勢力に基づいて移動して前記第２連結アーム体と係合可能なロック状態になり、このロック状態のロック体と前記第２連結アーム体との係合により前記整地体が前記機体に対してロックされるものである。
【０００６】
請求項２記載の農作業機は、請求項１記載の農作業機において、ロック体は、折畳作業部の折畳非作業状態時に、第２連結アーム体の下部と係合してこの第２連結アーム体の下方回動を規制する係合部を有するものである。
【発明の効果】
【０００７】
請求項１に係る発明によれば、折畳作業部の折畳非作業状態時には、ロック体が当接部から離れることにより付勢体の付勢力に基づいて移動して第２連結アーム体と係合可能なロック状態になり、このロック状態のロック体と第２連結アーム体との係合により整地体が機体に対してロックされる構成であるから、折畳作業部の折畳非作業状態時に整地体がバタついて騒音を発するのを防止できる。
【０００８】
請求項２に係る発明によれば、ロック体の係合部と第２連結アーム体の下部との係合により第２連結アーム体の下方回動を規制することで整地体を適切にロックできる。
【発明を実施するための最良の形態】
【０００９】
本発明の農作業機の一実施の形態を図面を参照して説明する。
【００１０】
図１ないし図４において、１は農作業機で、この農作業機１は、例えば図示しない走行車であるトラクタの３点リンク部（作業機昇降支持装置）に昇降可能に連結して使用する３分割式の代掻装置である。
【００１１】
農作業機１は、トラクタの後部の３点リンク部に連結される左右方向長手状の中央の作業機本体部（中央作業部）２と、作業機本体部２の左右方向両端部に略前後方向の回動中心軸線Ａを中心として上下方向に回動可能に設けられ略１８０度の回動により折畳非作業状態および展開作業状態になる左右一対の折畳作業部（延長作業部）３とを備えている。
【００１２】
作業機本体部２は、トラクタの後部の３点リンク部に連結される左右方向長手状の機体11と、機体11に回転可能に設けられ耕耘作業をする耕耘体（ロータリ）12と、機体11に上下回動可能に設けられ耕耘体12の後方で整地作業をする整地体13とを有している。
【００１３】
耕耘体12は、例えば左右方向の耕耘軸14と、この耕耘軸14に放射状に固着された耕耘爪15とにて構成されている。整地体13は、例えば機体11のカバー部16にゴム板等の弾性板17を介して取り付けられた第１整地板（均平板）18と、この第１整地板18に左右方向の軸20を介して回動可能に取り付けられた第２整地板（レーキ）19とにて構成されている。また、機体11は、左右方向両端部に略板状の当接部10を有している。
【００１４】
左右一対の折畳作業部３は、左右対称の構造のもので、回動中心軸線Ａを中心とする略１８０度の回動により中央の作業機本体部２上に折畳めるようになっている。
【００１５】
左右の折畳作業部３は、左右方向の軸状のアーム連結部21aを有する機体21と、機体21に回転可能に設けられ耕耘作業をする耕耘体（ロータリ）22と、機体21に上下回動可能に設けられ耕耘体22の後方で整地作業をする整地体23とを有している。耕耘体22は、例えば左右方向の耕耘軸24と、この耕耘軸24に放射状に固着された耕耘爪25とにて構成されている。整地体23は、例えば機体21のカバー部26にゴム板等の弾性板27を介して取り付けられた第１整地板（均平板）28と、この第１整地板28に左右方向の軸30を介して回動可能に取り付けられた第２整地板（レーキ）29とにて構成されている。
【００１６】
また、折畳作業部３は、図３等に示すように、機体21の設けられたアーム状の引掛受け体31と、整地体23の第１整地板28に設けられ引掛受け体31に引っ掛けられた軸状の引掛体32とを有している。
【００１７】
さらに、折畳作業部３は、図１ないし図３等に示すように、整地体23の第２整地板29に一端側が左右方向の軸34を介して回動可能に連結された第１連結アーム体（コ字枠）41と、この第１連結アーム体41の他端側に一端側が左右方向の軸35を介して回動可能に連結され他端側が機体21のアーム連結部21aに回動可能に連結された第２連結アーム体（ストッパコ字枠）42とを有している。第２連結アーム体42には、折畳作業部３の折畳非作業状態時に引掛体32と係合する係合受け部である凹状部44が形成されている。
【００１８】
また、折畳作業部３は、図５ないし図７等に示すように、機体21の内端側の側板部50に移動可能に設けられ移動によりロック状態およびロック解除状態になるロック体（ストッパ）51と、このロック体51をこのロック体51がロック状態になるように付勢するコイルばね等の付勢体52とを有している。
【００１９】
ロック体51は、側板部50の孔54およびスライドカラー55に挿通された第１棒部56と、側板部50の孔57に挿通され第１棒部56と平行な第２棒部58とを有している。第１棒部56の先端面が折畳作業部３の展開作業状態時に作業機本体部２の機体11の当接部10と当接する当接部60となっており、第１棒部56の基端側が折れ曲がって第２棒部58に一体的に連結されている。この第２棒部58にはロールピン61および座金62が取着され、座金62と側板部50との間にはロールピン61および座金62を介してロック体51を付勢する付勢体（圧縮ばね）52が圧縮された状態で配設されている。
【００２０】
また、第２棒部58には略Ｌ字状に折れ曲がった第３棒部63が一体的に連結され、この第３棒部63の一部が折畳作業部３の折畳非作業状態時に第２連結アーム体42の下部側と係合してこの第２連結アーム体42の下方回動を規制する棒状の係合部64となっている。
【００２１】
そして、折畳作業部３の展開作業状態時には、ロック体51が中央の作業機本体部２の機体11の当接部10との当接によりこの当接部10にて押されるようにして付勢体52の付勢力に抗して移動して第２連結アーム体42と係合不能なロック解除状態になり（図６参照）、その結果、折畳作業部３の第１整地板28および第２整地板29が機体21に対してフリーとなって整地作業を行う。
【００２２】
また、折畳作業部３の折畳非作業状態時には、ロック体51が中央の作業機本体部２の機体11の当接部10から離れることにより付勢体52の付勢力に基づいて移動して第２連結アーム体42と係合可能なロック状態になり（図１および図７参照）、その結果、ロック状態のロック体51の係合部64と第２連結アーム体42の下部との係合と、引掛体32と第２連結アーム体42の凹状部44との係合とによって、折畳作業部３の第１整地板28および第２整地板29が機体21に対してロックされる。
【００２３】
なお、ロック体51、付勢体52、引掛体32および第２連結アーム体42の凹状部44等にて、折畳作業部３の整地体23を機体21に対してロックするロック手段65が構成されている。
【００２４】
次に、上記農作業機１の作用等を説明する。
【００２５】
例えば最大の作業幅で代掻作業をする場合、左右の折畳作業部３を展開作業状態に設定する。
【００２６】
すなわち例えば作業者の人力で、中央の作業機本体部２に対して折畳作業部３を回動中心軸線Ａを中心として展開方向へ略１８０度回動させると、図５および図６に示すように、ロック体51の当接部60と中央の作業機本体部２の機体11の当接部10とが当接し、この当接によりロック体51が付勢体52の付勢力に抗して移動してロック解除状態になり、折畳作業部３の第１整地板28および第２整地板29が機体21に対してフリーとなる。
【００２７】
この状態で、トラクタの走行により農作業機１を前方に移動させると、中央の作業機本体部２の耕耘体12と左右の折畳作業部３の耕耘体22とにて耕耘作業が行なわれ、中央の作業機本体部２の整地体13つまり第１整地板18および第２整地板19と左右の折畳作業部３の整地体23つまり第１整地板28および第２整地板29とにて整地作業が行なわれる。
【００２８】
また、例えば左右の折畳作業部３を折畳んで中央の作業機本体部２のみで代掻作業をする場合、左右の折畳作業部３を折畳非作業状態に設定する。
【００２９】
すなわち例えば作業者の人力で、中央の作業機本体部２に対して折畳作業部３を回動中心軸線Ａを中心として折畳方向へ略１８０度回動させると、図１および図７に示すように、ロック体51の当接部60が作業機本体部２の機体11の当接部10から離れることにより、ロック体51が付勢体52の付勢力に基づいて移動してロック状態になり、このロック状態のロック体51の係合部64と第２連結アーム体42の下部との係合と引掛体32と第２連結アーム体42の凹状部44との係合とによって第１整地板28および第２整地板29が機体21に対してロックされる。
【００３０】
この状態で、トラクタの走行により農作業機１を前方に移動させると、中央の作業機本体部２の耕耘体12にて耕耘作業が行なわれ、中央の作業機本体部２の整地体13つまり第１整地板18および第２整地板19とにて整地作業が行なわれる。このとき、折畳非作業状態の折畳作業部３の第１整地板28および第２整地板29は、機体21に対してロックされているためバタつかない。
【００３１】
このように上記農作業機１によれば、折畳作業部３の折畳非作業状態時にはロック体51が当接部10から離れることにより付勢体52の付勢力に基づいて移動して第２連結アーム体42と係合可能なロック状態になり、このロック状態のロック体51と第２連結アーム体42との係合により整地体23が機体21に対してロックされる構成であるから、折畳作業部３の折畳非作業状態時に整地体23がバタついて騒音を発するのを防止でき、静音化および耐久性の向上等を図ることができる。
【００３２】
なお、上記実施の形態では、左右一対の折畳作業部３を有する３分割の折畳式農作業機１について説明したが、例えば左右いずれか１つにしか折畳作業部３を有しない構成でもよい。また中央の作業機本体部２が耕耘体12および整地体13を有しない構成であってもよい。
【００３３】
また、折畳作業部３を略１８０度回動により中央の作業機本体部２上に折畳む構成には限定されず、例えば折畳作業部３を略１５０度回動により折畳む構成や、折畳作業部３を作業機本体部２の真上ではなく、上斜め後方に向けて折畳む構成等でもよい。
【図面の簡単な説明】
【００３４】
【図１】本発明の農作業機に係る一実施の形態の側面図である。
【図２】同上農作業機の折畳作業部の平面図である。
【図３】同上折畳作業部の側面図である。
【図４】同上折畳作業部の正面視回動図である。
【図５】同上農作業機のロック手段のロック解除状態時の平面図である。
【図６】同上ロック手段のロック解除状態時の背面図である。
【図７】同上ロック手段のロック状態時の背面図である。
【符号の説明】
【００３５】
１    農作業機
２    作業機本体部
３    折畳作業部
10    当接部
21    機体
21a   アーム連結部
22    耕耘体
23    整地体
41    第１連結アーム体
42    第２連結アーム体
51    ロック体
52    付勢体
64    係合部
【図１】
2006311818.tif 000003
【図２】
2006311818.tif 000004
【図３】
2006311818.tif 000005
【図４】
2006311818.tif 000006
【図５】
2006311818.tif 000007
【図６】
2006311818.tif 000008
【図７】
2006311818.tif 000009